(57)【要約】  ディジタル・カメラ１１４をオーディオ制御又はボイス制御を介して制御できる、組合せ携帯電話機１００及びディジタル・カメラ１１４。携帯電話機１００に、可聴入力を検出する少なくとも１つのマイクロホン１０６、１１８が含まれる。検出された可聴入力が、電気信号に変換され、プロセッサに送られる。プロセッサは、検出された可聴入力をプロセッサに操作させるソフトウェアを含む記憶媒体にアクセスできる。プロセッサは、検出された可聴入力をカメラ・コマンドのデータベース４１２と比較して、検出された可聴入力がデータベース内のカメラ・コマンドの１つと一致するかどうかを判定する４１４。一致がある場合には、プロセッサは、カメラ・コマンドに関連する一連の命令を実行５０４して、所望の機能を実行する。
2007513568.tif 000002
【特許請求の範囲】
【請求項１】
可聴入力を検出するマイクロホン１０６、１１８と、
カメラ・コマンドとして特徴を表されるエントリを含むデータベース４１２と、
プロセッサであって、
検出された可聴入力を処理し、
検出された可聴入力をカメラ・コマンドの前記データベースと比較し４１０、
前記検出された可聴入力が前記データベース内の前記カメラ・コマンドのうちの１つと一致するかどうかを判定し４１４、
検出された可聴入力と一致したカメラ・コマンドに関連する一連の命令を実行する５０４、前記プロセッサと
を含む、組合せ携帯電話機１００及びディジタル・カメラ１１４。
【請求項２】
前記一連の命令が、写真を撮ることを含む、請求項１に記載の組合せ携帯電話機１００及びディジタル・カメラ１１４。
【請求項３】
前記一連の命令が、
メッセージを構成することと、
写真を前記メッセージに添付することと、
を含む、請求項１に記載の組合せ携帯電話機１００及びディジタル・カメラ１１４。
【請求項４】
メッセージを構成することが、
前記メッセージを１つ又は複数の受取人にアドレッシングすることと、
前記メッセージにテキストを挿入することと、
を含む、請求項３に記載の組合せ携帯電話機１００及びディジタル・カメラ１１４。
【請求項５】
メッセージを構成することが、
前記メッセージを１つ又は複数の受取人にアドレッシングすることと、
前記メッセージにオーディオを添付することと、
を含む、請求項３に記載の組合せ携帯電話機１００及びディジタル・カメラ１１４。
【請求項６】
前記メッセージが、電子メール・メッセージである、請求項３に記載の組合せ携帯電話機１００及びディジタル・カメラ１１４。
【請求項７】
前記メッセージが、ＭＭＳメッセージである、請求項３に記載の組合せ携帯電話機１００及びディジタル・カメラ１１４。
【請求項８】
前記カメラ１１４が、前記携帯電話機１００に一体化されている、請求項１に記載の組合せ携帯電話機１００及びディジタル・カメラ１１４。
【請求項９】
前記カメラ１１４が、アクセサリとして前記携帯電話機１００に取付け可能である、請求項１に記載の組合せ携帯電話機１００及びディジタル・カメラ１１４。
【発明の詳細な説明】
【技術分野】
【０００１】
（背景技術）
現在、携帯電話機に、ユーザ経験の質を高めるために洗練されたハードウェア及びソフトウェアが含まれる。新しい携帯電話機のより人気のある特徴の１つが、一体化されたカメラ又は接続可能なカメラ・アクセサリである。自由に写真を撮り、共有する機能が、携帯電話機購入者の人気を得ている。携帯電話機によって撮られた写真の共有は、現在ほとんどの携帯電話機に見られるワバストなデータ・アプリケーションを用いて、より簡単な作業になった。インターネット又は他の携帯電話機への比較的高速のデータ接続が、現在、ほとんどの携帯電話機の標準機能である。これによって、写真を撮り、ある携帯電話機から別の携帯電話機又はインターネット電子メール・アドレスに送信することが、かつてより簡単になる。携帯電話機のカメラ機能の進歩は印象的であったが、ユーザは、まだ、カメラ機能を手作業で操作し、写真を手動で構成し、リモート宛先に送信することを要求される。
【０００２】
写真を撮ることは、通常、キー・ストロークの指定されたシーケンスを介してカメラ機能を手動で作動させることによって達成される。さらに、ユーザは、カメラを操作する必要のゆえに、ほとんどの写真に現れることを阻まれる。カメラの操作を助ける有線制御又は無線制御を備えている場合があるが、これらは、別の携帯電話機アクセサリが伴うことを必要とする。
【発明の開示】
【発明が解決しようとする課題】
【０００３】
必要なものは、ボイス・コマンドを使用して携帯電話機のカメラ機能を操作する手段である。ボイス・コマンドは、別々のアクセサリの使用を必要とせず、ユーザに、写真を撮り、送信する際に、より高い柔軟性を与えることができる。
【課題を解決するための手段】
【０００４】
本発明は、ディジタル・カメラをオーディオ制御又はボイス制御を介して制御できる組合せ携帯電話機及びディジタル・カメラとして特徴を表すことができる。ディジタル・カメラは、携帯電話機に一体化するか、携帯電話機にアクセサリとして取付け可能とすることができる。本発明の本質は、ボイス制御を中心とするので、携帯電話機に、可聴入力を検出する少なくとも１つのマイクロホンが含まれる。このマイクロホンは、会話を実行するために携帯電話機に既に存在し、且つ使用されているマイクロホンとすることができる。或いは、このマイクロホンを、携帯電話機又はカメラ・アクセサリに一体化される、特にカメラ制御のために使用される、追加マイクロホンとすることができる。
【０００５】
検出された可聴入力は、電気信号に変換され、プロセッサに送られる。プロセッサは、検出された可聴入力をプロセッサに操作させるソフトウェアを含む記憶媒体にアクセスできる。プロセッサは、検出された可聴入力をカメラ・コマンドのデータベースと比較して、検出された可聴入力がデータベース内のカメラ・コマンドのうちの１つと一致するかどうかを判定する。一致がある場合には、プロセッサは、そのカメラ・コマンドに関連する一連の命令を実行して、所望の機能を実行する。
【０００６】
データベース・カメラ・コマンドは、写真の撮影、写真の保管、写真の削除、添付ファイルとして写真を有するメッセージの構成、カメラ・セッティング（たとえば、フラッシュ、ズームなど）の調整を含むがこれらに制限されない、多数の機能を表す。各データベース・コマンドに、プロセッサに所望の機能を実行させるコード化された命令が関連付けられる。
【実施例】
【０００７】
図１に、カメラ機能を有する携帯電話機の正面図を示す。この図では、表示領域１０２を有する携帯電話機１００が示されている。この携帯電話機に、スピーカ１０４、マイクロホン１０６、標準数値キーパッド１０８、及び携帯電話機の１つ又は複数の態様を制御する特殊目的キー１１０などの他の要素及び特徴も含まれる。特殊目的キーのうちの１つが、写真を撮ることができるシャッタ・リリース・ボタン１１２として働くことができる。
【０００８】
図２に、図１に示された携帯電話機の背面を示す。この実施例では、携帯電話機及びカメラが、単一のユニットに一体化されている。他の携帯電話機は、携帯電話機に取り付けることができるカメラ・アクセサリと共に機能することができる。本発明において、カメラが、携帯電話機に一体化されるか、アクセサリとして携帯電話機に取付け可能であるかは、関連性がない。というのは、本発明が、カメラ自体ではなくカメラを制御することに焦点を合わせたものであるからである。携帯電話機１００の背面に、レンズ１１４、電池カバー１１６、及び第２マイクロホン１１８が含まれる。図１に示されたレンズ１１４方位は、例示にすぎない。レンズは、たとえば携帯電話機の前面に、又は携帯電話機に取り付けられる別々のアクセサリとしてなど、異なる方位にすることができる。
【０００９】
マイクロホン１１８は、任意選択とすることができ、携帯電話機でのその方位は、図２に現れたものに制限されるとは考えられない。マイクロホン１１８の目的は、カメラの操作を意図された可聴コマンドを検出することである。図１に示されたマイクロホン１０６が、音声呼で送信されるオーディオをひろうというその主な役割のほかに、本発明にも対処できることが、完全に可能である。
【００１０】
図示されていないのが、さまざまな外部の特徴をリンクし、制御する内部処理要素である。プロセッサ及びプロセッサ可読記憶媒体が、一緒に内部的に結合される。プロセッサ可読記憶媒体に記録されたコードの形の命令が、呼び出された命令セットに基づいてイベントを発生させる。カメラによって撮影されたディジタル写真などのデータを保管するプロセッサにアクセス可能な追加記憶媒体が存在することができる。このストレージは、携帯電話機から他の宛先に写真を送信するのを助けるために、電話帳又は連絡先リスト・データを保持することもできる。連絡先リスト・データは、プロセッサがメッセージを構成するのを助けるためにそのデータにアクセスできる限り、たとえばウェブサイト上などの他の場所に保管することができる。
【００１１】
携帯電話機に一体化されたカメラの標準動作では、ユーザは、ビュー・ファインダとしてディスプレイ１０２を使用しながら、レンズ１１４を写真の対象に向ける。したがって、レンズ１１４が対象に面しながら、ユーザが、ディスプレイ１０２を見ることによってショットを調整することができる。ユーザは、通常、片手で携帯電話機を握って、レンズ１１４を対象に向ける。ユーザの親指（又は別の指）を、ショットを調整しながらシャッタ・ボタン１１２にのせることができる。ユーザは、ディスプレイ１０２に示されたショットに満足した時に、シャッタ・ボタン１１２を押し、写真を撮ることができる。上で説明したステップのすべてが、写真を撮るための携帯電話機の手動操作を必要とする。
【００１２】
写真を撮ったならば、ユーザは、その写真をどうするかを判断することができる。選択肢の一部に、写真の削除、写真の保管、及び／又は１つ若しくは複数の宛先／受取人への写真の送信が含まれる。これらの機能は、通常、キーパッド及びディスプレイ・プロンプトを使用してユーザによって実行される。写真の送信は、さらに、ユーザが、写真を送信される受取人を選択するために連絡先リストにアクセスするか、必要な連絡先データを手動で入力することを必要とする。
【００１３】
本発明の目標は、上で説明した（及び他の）作業のうちで携帯電話機の直接ユーザ操作をさほど必要としないものを実行する代替方法を提供することである。これは、携帯電話機による写真の撮影及び送信に関連するカメラ機能及び他の特徴の可聴制御を使用することによって達成することができる。可聴制御は、所望の結果を達成するための携帯電話機の手動操作の必要を軽減する。
【００１４】
可聴制御は、主に、ユーザが「ハンズ・フリー」の形で携帯電話機を操作できるようにする便利な特徴及び／又は安全な特徴として、ユーザがダイヤルするのを助けるために、一部の携帯電話機で実装されてきた。本発明は、同様の技法を、カメラ・セッティングの操作、イメージの記録、作業の実行など、カメラ及びカメラに関連する作業の制御動作に適用する。さらに、可聴制御を実装して、音声認識を使用し、許可された１人のユーザだけが可聴コマンドを与えることができるようにすることができ、或いは、音声認識なしで、携帯電話機が、複数のユーザからの入力を受け入れるか、同一の単語について異なる機能を実行することを可能にすることができる。
【００１５】
図３は、携帯電話機に関連するカメラ又はカメラ・アクセサリを可聴制御するプロセスを説明する流れ図である。ボックス３０２に示された第１ステップは、携帯電話機のカメラ又はカメラ・アクセサリをイネーブルすること又はアクティブ化することである。通常、これは、携帯電話機のスイッチ、ボタン、又はキーを作動させることによって達成されるが、携帯電話機が既に可聴コマンドを受け取るようにセットされているならば、このステップを、「ｃａｍｅｒａ  ｏｎ（カメラ・オン）」コマンドを発行することによってボイス・アクティブ化することもできる。次に、携帯電話機は、判断ボックス３０４に示されているように、ユーザが標準モード又はオーディオ制御モードのどちらでカメラを操作することを望むかのディスプレイ・メッセージを介してユーザにプロンプトを出す。ユーザが、標準モードでカメラを操作することを選択した場合に、標準カメラ・インターフェースがアクティブ化され３０６、ユーザは、キーを手動で操作してカメラを操作する。そうでない場合には、カメラが、可聴制御用にセットされ３０８、待ち状態に入り３１０、その間に、可聴コマンドの検出を試みる。マイクロホンが、可聴入力を検出するたびに、その可聴入力が、判断ボックス３１２によって処理され、判断ボックス３１２では、その可聴コマンドが認識されるカメラ・コマンドであるかどうかを判定する。判断ボックス３１２の結果が否定である場合に、カメラは、ボックス３１０に記載の待ち状態に戻る。判断ボックス３１２の結果が肯定である場合に、カメラは、ボックス３１４に示されているように、認識されたカメラ・コマンドを実行する。
【００１６】
図４は、カメラ又はカメラ・アクセサリを操作することを意図された可聴コマンドを認識するプロセスを説明する流れ図である。このサブプロセスは、図３の判断ボックス３１２によって生成（ｓｐａｗｎ）される。カメラ・コマンドを認識するために、携帯電話機は、まず、マイクロホンで可聴入力を検出する４０２。次に、このプロセスは、音声認識オプションが呼び出されているかどうかを検査する４０４。音声認識がアクティブである場合には、検出された可聴入力を処理して、話者が認識されるかどうかを判定する４０６。話者が認識されない場合には、携帯電話機は、これをユーザに示し、コマンドを繰り返すようにユーザに求める４０８。次に、制御を、図３のボックス３１０の待ち状態に返す。話者が認識された場合に、次のステップは、検出された可聴入力をカメラ・コマンドのデータベース４１２と比較すること４１０である。このステップは、ボックス４０４で音声認識が呼び出されなかった場合にも実行される。判断ボックス４１４では、検出された可聴入力とカメラ・コマンドのデータベース４１２内のエントリの間のデータベース一致があるかどうかを判定する。一致が見つからない場合には、携帯電話機は、これを例えばユーザに示し、コマンドを繰り返すようにユーザに求める４０８。一致が見つかった場合には、制御を図３に示されたメイン・プロセスに返し、ここで、認識されたコマンドが、実行のためにセットされる。
【００１７】
図５は、認識されたカメラ・コマンドを実行する（ｐｅｒｆｏｒｍｉｎｇ  ｏｒ  ｅｘｅｃｕｔｉｎｇ）プロセスを説明する流れ図である。このサブプロセスは、図３のボックス３１４に記載のプロセスによって生成（ｓｐａｗｎ）される。カメラ機能を操作する役割を担う携帯電話機の内部プロセッサが、まず、認識されたカメラ・コマンドに関連する命令をルック・アップする５０２。次に、この命令を実行し５０４、制御を図３のボックス３１０の待ち状態に返して、次のコマンドを待つ。
【００１８】
カメラ・コマンドは、カメラ自体のセッティング及び動作に、又はカメラによって撮られるイメージの操作に関連するものとすることができる。前者に関連するコマンドに、フラッシュセッティングの設定、ズームの設定、及び写真の撮影が含まれるが、これに制限はされない。後者に関連するコマンドに、写真の削除、写真の保管、及び／又は１つ若しくは複数の宛先／受取人への写真の送信が含まれるが、これに制限はされない。ユーザは、ある写真が送信される受取人のグループ又はリストをセット・アップすることができる。たとえば、ユーザの子供の写真を、「ｓｅｎｄ  ｔｏ  ｆａｍｉｌｙ（家族に送信）」のようなコマンドを呼び出すことによって、他の家族のメンバに送信することができる。「ｆａｍｉｌｙ（家族）」リストは、既に作成されており、電子メール・アドレス、別の携帯電話機のマルチメディア・メッセージング・サービス（ＭＭＳ）アドレス、又はウェブサイトなどであるがこれらに制限はされない、各受取人の必要な電子アドレス（又は他の連絡の手段）を含む。このコマンドの最初の部分「ｓｅｎｄ（送信）」は、携帯電話機のメッセージ構成機能を呼び出す。このコマンドの「ｔｏ  ｆａｍｉｌｙ（家族に）」部分は、家族リストの各メンバに写真を送信することを電話機に指示する。メッセージが構成され、写真が添付されたならば、携帯電話機は、その携帯電話機が加入しているデータ・サービスを使用してそのメッセージを自動的に送信することを試みる。メッセージ構成に、テキスト又はオーディオの追加又は挿入も含めることができる。テキスト及び／又はオーディオを、事前に決定し、所与のコマンドにリンクすることができ、或いは、メッセージ構成が、送信される写真に付随するテキスト内容又はオーディオ内容を同時に作成するために、テンプレート又はボイス記録セッションをオープンすることができる。
【００１９】
標準的なテキスト・メッセージ及びオーディオ・メッセージに、「Ｗｉｓｈ  ｙｏｕ  ｗｅｒｅ  ｈｅｒｅ（君がここに居れば良かったのに）」、「Ｉ’ｍ  ｒｕｎｎｉｎｇ  ｌａｔｅ（私は遅れている）」などの句（フレーズ）を含めることができる。ユーザは、普通のテキスト句又はオーディオ句を構成し、コマンドに添付することができる。
【００２０】
ボイス制御又はオーディオ制御は、もはや望まれない時に、ユーザが非アクティブ化することができる。オーディオ制御の非アクティブ化は、無意識にカメラ機能を実行しないように、並びにバッテリ・パワーを節約するために、必要である。非アクティブ化は、「ｃａｍｅｒａ  ｏｆｆ（カメラ・オフ）」などの可聴コマンドを介するもの、ユーザによって開始されるキー・ストローク（又はキー・ストロークの組）によるもの、或いは最後に実行されたコマンドの後の事前設定のタイムアウト期間によるものとすることができる。
【００２１】
本発明を、携帯電話機に関連するディジタル・カメラの可聴制御に関して説明した。本発明を、カメラ又はカメラ・アクセサリの可聴制御に制限されると解釈してはならない。ビデオ及びオーディオなどの他の媒体形式を、携帯電話機内で同様に可聴制御することができる。カメラを操作するのにボイス制御を使用するのではなく、携帯電話機ユーザは、携帯電話機のオーディオ記録機能を可聴操作することができ、メッセージのボイス記録を行うことができる。携帯電話機ユーザは、プロセスを開始するキーワード及びプロセスを終了するキーワードを使用することによって、携帯電話機にオーディオ記録を行わせることができる。次に、この記録を写真に添付して、携帯電話機から送信又は電子メールとして送信できるマルチメディア・メッセージを作成することができる。
【００２２】
同様に、携帯電話機が、ビデオ並びに静止画をキャプチャできる場合に、ボイス制御を実装して、ビデオ機能を制御することができる。「ｓｔａｒｔ  ｓｈｏｏｔｉｎｇ（撮影開始）」及び「ｓｔｏｐ  ｓｈｏｏｔｉｎｇ（撮影終了）」などのコマンドが、携帯電話機のビデオ機能に、このコマンドの間の時間中にビデオを記録させることができる。
【００２３】
携帯電話機が、イメージ機能、ビデオ機能、及びオーディオ機能、又はこれらの組合せに対するマルチメディア可聴制御をサポートする場合に、追加のデータベース・コマンドを作成して、複数の媒体フォーマットを管理することができる。たとえば、イメージ及び関連するオーディオ記録の両方を添付することによって、メッセージを構成することができる。ユーザは、「ｏｐｅｎ  ｍｅｓｓａｇｅ  ｔｅｍｐｌａｔｅ（メッセージ・テンプレートを開く）」、「ａｄｄｒｅｓｓ  ｔｏ  ｆａｍｉｌｙ（家族にアドレッシングする）」、「ａｔｔａｃｈ  ｉｍａｇｅ（イメージを添付する）」、「ａｔｔａｃｈ  ａｕｄｉｏ  ｒｅｃｏｒｄｉｎｇ（オーディオ記録を添付する）」、及び最後に「ｓｅｎｄ  ｍｅｓｓａｇｅ（メッセージを送信する）」などのコマンドを発行することができる。コマンドのこのシーケンスは、全くキー・ストロークを手動で入力する必要なしに、携帯電話機に、マルチメディア・メッセージを作成させ、構成させ、ユーザが定義した受取人のグループに送信させる。
【００２４】
本発明のコンピュータ・プログラム要素は、ハードウェア及び／又はソフトウェア（ファームウェア、常駐ソフトウェア、マイクロコードなどを含む）で実施することができる。本発明は、コンピュータ・プログラム製品の形をとることができ、このコンピュータ・プログラム製品は、命令実行システムによって又はこれと共に使用される、媒体内で実施されたコンピュータ使用可能な又はコンピュータ可読のプログラム命令、「コード」、又は「コンピュータ・プログラム」を有するコンピュータ使用可能な又はコンピュータ可読の記憶媒体によって実施することができる。この文書の文脈で、コンピュータ使用可能媒体又はコンピュータ可読媒体は、命令実行システム、命令実行装置、若しくは命令実行デバイスによって又はこれらと共に使用されるプログラムを含み、保管し、通信し、伝搬し、又は搬送することができるすべての媒体とすることができる。コンピュータ使用可能媒体又はコンピュータ可読媒体は、たとえば、電子的、磁気的、光学的、電磁的、赤外線の、又は半導体のシステム、装置、デバイス、又はインターネットなどの伝搬媒体とすることができるが、これらに制限はされない。コンピュータ使用可能媒体又はコンピュータ可読媒体は、たとえば紙又は他の媒体の光学スキャン及びその後の適当な形でのコンパイル、解釈、又は他の処理を介してプログラムを電子的に取り込むことができるので、プログラムが印刷される紙又は別の適当な媒体とすることもできることに留意されたい。本明細書に記載のコンピュータ・プログラム製品とすべてのソフトウェア及びハードウェアは、例の実施例での本発明の機能を実行するさまざまな手段を形成する。
【００２５】
本発明の特定の実施例が、本明細書で開示される。当業者は、本発明が他の環境で他の応用例を有することができることをたやすく理解するであろう。実際に、多数の実施例及び実装が可能である。添付請求項は、本発明の範囲を上で説明した特定の実施例に制限するものと解釈されてはならない。さらに、「の手段」のすべての詳説が、要素及び請求項のミーンズプラスファンクション解釈を換起することを意図され、詳説「の手段」を特に使用しないすべての要素が、その請求項に単語「手段」が他の形で含まれる場合であっても、ミーンズプラスファンクション要素として解釈されることを意図されていない。
【図面の簡単な説明】
【００２６】
【図１】カメラ機能を有する携帯電話機を示す正面図である。
【図２】カメラ機能を有する携帯電話機を示す背面図である。
【図３】携帯電話機に関連するカメラ又はカメラ・アクセサリを可聴制御するプロセスを説明する流れ図である。
【図４】カメラ又はカメラ・アクセサリを操作することを意図された可聴コマンドを認識するプロセスを説明する流れ図である。
【図５】認識されたカメラ・コマンドを実行する（ｐｅｒｆｏｒｍｉｎｇ  ｏｒ  ｅｘｅｃｕｔｉｎｇ）プロセスを説明する流れ図である。
【図１】
2007513568.tif 000003
【図２】
2007513568.tif 000004
【図３】
2007513568.tif 000005
【図４】
2007513568.tif 000006
【図５】
2007513568.tif 000007
【国際調査報告】
2007513568.tif 000008
2007513568.tif 000009
2007513568.tif 000010